(57)【特許請求の範囲】
【請求項１】
交換機と電話機との間の加入者回線に対向設置し音声信号を音声圧縮して多重化する音声圧縮多重化装置において、
交換機側の音声圧縮多重化装置は、交換機からの音声信号を音声圧縮して符号化することによりディジタル信号とする音声符号部に、
前記音声信号が発信者番号を通知するモデム信号であるか否かを検出する切替情報検出部と、
前記切替情報検出部からの切替信号に基づいて、音声符号化部または発信者番号データ送信部からの出力を選択する音声／データ送出部と、
制御信号及び前記切替信号を符号化する制御信号送出部とを設け、
一方、電話機側の音声圧縮多重化装置は、復号化してアナログ信号にした音声信号を電話機に出力する音声復号部に、
前記制御信号及び前記切替信号を復号化する制御信号受信部と、
前記復号化した制御信号に基づいて、受信信号を音声復号化部または発信者番号データ受信部に振り分ける音声／データ受信部と、
前記復号化した制御信号に基づいて、前記音声復号化部または発信者番号データ受信部からの出力を選択する音声／データ切替部と、
前記復号化した制御信号に基づいて、前記音声／データ切替部による切替時に発生する異音を抑圧する異音除去部と、
前記異音除去部からのディジタル信号をアナログ信号に変換するＤ／Ａ変換部とを設けた
ことを特徴とする音声圧縮多重化装置。
【発明の詳細な説明】
【０００１】
【発明の属する技術分野】
本発明は音声圧縮多重化装置に関し、特に加入者回線の交換機と電話機との間に設置し、音声信号を音声圧縮して符号化する手段をとることにより、ディジタル回線を用いて複数の音声回線を多重化して伝送する際の伝送帯域を抑圧することを可能とした音声圧縮多重化装置に関する。
【０００２】
【従来の技術】
従来、音声信号を可能な限り音声圧縮して符号化することにより多重化し、通信を行う上で重要となる回線効率を向上させる手段をとることが多い。加入者回線においても、加入者線交換機と電話機との間で、通話路を多重化するために音声信号を音声圧縮して符号化する音声圧縮多重化装置が導入されている。
【０００３】
図３は、従来の音声圧縮多重化装置の構成例を示す図である。
同図は、加入者線交換機１と、電話機２ａ、２ｂとの間に、対加入者線交換機側音声圧縮多重化装置３と、対電話機側音声圧縮多重化装置４とを設置した例を示す。すなわち、この例では、加入者線交換機１と電話機２との間の７つの加入者回線を、前記対加入者線交換機側音声圧縮多重化装置３と対電話機側音声圧縮多重化装置４との間において、１対の伝送路に多重化して送受信するものである。
【０００４】
前記対加入者線交換機側音声圧縮多重化装置３は、音声信号を音声圧縮して符号化すると共に音声信号を解凍して復号する第一の通話路部５ａ乃至第七の通話路部５ｂと、前記第一の通話路部５ａ乃至第七の通話路部５ｂからの７つの通話路を多重化する多重変換部６と、対電話機側音声圧縮多重化装置４からの多重化された信号を分離する多重分離部７とを備えている。
一方、対電話機側音声圧縮多重化装置４は、前記対加入者線交換機側音声圧縮多重化装置３と同様に、多重分離部８と、多重変換部９と、第一の通話路部１０ａ乃至第七の通話路部１０ｂとを備えている。
【０００５】
又、第一の通話路部５ａは、加入者線交換機１に入出力する制御信号を中継するＲＥＰ（レピータ）１１と、加入者線交換機１に接続する二線式回線（加入者回線）を四線式回線に変換するハイブリッドトランス（Ｈ）１２と、音声信号を音声圧縮して制御信号と共に符号化する音声符号部１３と、符号化された音声信号と制御信号とを復号化する音声復号部１４とを備える。この構成は、第七の通話路部５ｂまで同様である。
又、第一の通話路部１０ａは、前記第一の通話路部５ａと同様に、符号化された音声信号と制御信号とを復号化する音声復号部１５と、音声信号を音声圧縮して制御信号と共に符号化する音声符号部１６と、四線式回線を二線式回線に変換するハイブリッドトランス（Ｈ）１７と、電話機２ａに入出力する制御信号を中継するＲＥＰ１８とを備える。
【０００６】
図３の動作を説明する。同図は、加入者線交換機１に接続する７回線の通話路（加入者回線）を対加入者線交換機側音声圧縮多重化装置３に、７台の電話機２を対電話機側音声圧縮多重化装置４に夫々接続しており、前記対加入者線交換機側音声圧縮多重化装置３は加入者線交換機１からの音声信号を、前記対電話機側音声圧縮多重化装置４は電話機２からの音声信号を、例えば、ＣＳ−ＡＣＥＬＰ音声符号化方式を用いて８ｋｂ／ｓに音声圧縮して多重化して伝送する。なお、ここでは、対加入者線交換機側音声圧縮多重化装置３と対電話機側音声圧縮多重化装置４との間を、６４ｋｂ／ｓのディジタル回線を介して接続した例である。
【０００７】
先ず、加入者線交換機１から電話機２ａへ着呼した場合について説明すると、加入者線交換機１が出力する１６Ｈｚ呼び出し信号や直流信号の極性情報等は、第一の通話路部５ａに設けたＲＥＰ１１により検出し、音声符号部１３に入力する。又、音声信号は、ハイブリッドトランス１２により二線式回線を四線式回線に変換して、加入者線交換機１からの通話による音声信号を音声符号部１３に入力する。
【０００８】
音声符号部１３においては、音声信号を８ｋｂ／ｓに音声圧縮して符号化し、多重変換部６に出力すると共に、１６Ｈｚ呼び出し信号や直流信号の極性情報等は、制御ビットとして多重変換部６に入力する。
次に、多重変換部６は、７つの通話路の圧縮されたディジタル音声信号を多重化し、この多重化信号を、６４ｋｂ／ｓのディジタル回線を介して対電話機側音声圧縮多重化装置４に送出する。
【０００９】
対電話機側音声圧縮多重化装置４では、受信した多重化信号を多重分離部８により通話路毎に分離し、分離した圧縮ディジタル音声信号を通話路毎に対応して、第一の通話路部１０ａ乃至第七の通話路部１０ｂに入力する。
第一の通話路部１０ａでは、音声復号部１５により音声信号や電話機２に対する制御信号をアナログ信号に復号して、音声信号はハイブリッドトランス１７を、制御信号はＲＥＰ１８を介して夫々電話機２ａに出力する。
【００１０】
一方、電話機２ａから発信する場合について説明すると、電話機２ａからの直流回路のループ信号やダイアルパルス等の断続信号の情報は、対電話機側音声圧縮多重化装置４の第一の通話路部１０ａに設けたＲＥＰ１８により検出し、音声符号部１６に入力する。
又、電話機２ａからの音声信号は、ハイブリッドトランス１７により二線式回線を四線式回線に変換され、音声符号部１７に出力される。
音声符号部１７においては、アナログの音声信号を８ｋｂ／ｓのディジタル信号に音声圧縮して符号化し、多重変換部９に入力すると共に、直流回路のループ信号やダイアルパルス等の断続信号は、制御ビットとして多重変換部９に入力する。
【００１１】
次に、多重変換部９は、７つの通話路の圧縮ディジタル音声信号を多重化した多重化信号を、６４ｋｂ／ｓのディジタル回線を介して対加入者線交換機側音声圧縮多重化装置３に送出する。
対加入者線交換機側音声圧縮多重化装置３は、受信した多重化信号を多重分離部７により通話路毎に分離し、分離した圧縮ディジタル音声信号を第一の通話路部５ａ乃至第七の通話路部５ｂに入力する。
第一の通話路部５ａでは、音声復号部１４により音声信号や加入者線交換機１に対する制御信号をアナログ信号に復号して、音声信号はハイブリッドトランス１２を、制御信号はＲＥＰ１１を介して加入者交換機１に出力する。
【００１２】
また、近年の電話交換網においては、発信者番号通知サービス（ナンバーディスプレイ）が提供されており、上述した従来の音声圧縮多重化装置にも、この発信者番号通知機能に対応の要求がある。
上述の発信者番号通知サービスとは、加入者線交換機１から電話機２への着信の際に、電話機２において、着信に応答する前に発信元の発信者番号を通知するサービスである。前記発信者番号は、電話機２を呼び出す前に、加入者交換機１から所定の手順に従い１２００Ｂ（ボーレート）のモデム信号により電話機２に通知する。
【００１３】
ところが、このモデム信号を上述の音声圧縮多重化装置において、８ｋｂ／ｓに音声圧縮して伝送すると、電話機側でモデム信号を受信した際に、必要な帯域成分が十分受信できずモデムの復調時においてビットエラーとなる。
そのため、発信者番号通知機能に用いるモデム信号は、モデム信号を復調して１２００Ｂのデータとし、音声圧縮せずにこれを伝送速度８ｋｂ／ｓの信号に変換して出力することが必要となる。
そこで、音声圧縮処理を行う音声符号部においては、入力される音声信号が、通話による音声信号か、或いは、発信者番号を通知するモデム信号かを識別して、モデム信号の場合は、モデム信号専用のディジタル化処理を行うよう回路を切り替えることとし、この切り替えのための識別は、発信者番号通知機能のために決められている動作シーケンスを識別することにより行い、モデム信号を特定すればよい。
【００１４】
図４に、音声圧縮多重化装置のフレーム構成を示す。
同図の（ｃ）は、７通話路を多重化した音声圧縮多重化装置が伝送路に出力する信号のフレーム構成である。このフレームは、７つの通話路分の制御信号や同期用ビット等から構成する制御スロット（ＴＳ１）と、音声圧縮信号或いはモデム信号からなる７つの通話路の主信号スロット（ＴＳ２〜ＴＳ８）とからなり、６４ビットの１フレームを１ｍｓｅｃで伝送することにより６４ｋｂ／ｓの伝送速度としている。
又、主信号を構成するビット列（ｄ）には、同期の確立用ビットを設けておらず、（ｃ）に示した制御スロット（ＴＳ１）に含まれる同期用ビットに同期させて１０ｍｓｅｃ間隔のタイミング信号を作成し、そのタイミング信号に主信号を構成するビット列（ｄ）を同期させている。
なお、上述のビット列（ｄ）に示す主信号は、８０ビットを１０ｍｓｅｃで伝送することにより８ｋｂ／ｓの伝送速度としている。
そこで、制御スロットに含まれる同期用ビットに基づく１０ｍｓｅｃ間隔のタイミング信号に主信号を同期させる方法としては、まず、（ｂ）に示すように５フレームにより構成するマルチフレーム生成し、更に、（ａ）に示すように６マルチフレームによりマルチフレームを生成して、３０ｍｓｅｃのマルチフレームとし、このマルチフレームの先頭に前記の１０ｍｓｅｃタイミング信号を同期させることで行う。
【００１５】
【発明が解決しようとする課題】
しかしながら、従来の音声圧縮多重化装置は、以下に示すような問題点があった。つまり、音声符号部１３において、モデム信号を識別して音声圧縮処理をモデム信号のディジタル化処理へ切り替える動作、及び、復旧する動作の際に、音声圧縮処理及びモデム信号のディジタル化処理の夫々が、多重変換部６が生成するフレーム内のビット位置を認識するために機能させているフレーム同期に関係なく非同期で切り替え動作、復旧動作を行っている。具体的には、音声符号部及び音声復号部において、モデム信号を識別して音声圧縮処理をモデム信号のディジタル化処理に切り替える動作、又、復旧動作を、前記１０ｍｓｅｃのタイミング信号に非同期でおこなうため、フレーム同期がはずれることになる。
これにより、再度、多重変換部６がフレーム同期を確立するまでの間、音声復号部１５において動作エラーが生じ、電話機２側に異音が送出され通話品質を低下させていた。
【００１６】
本発明はこのような問題点を解決するためになされたものであり、発信者番号通知時のモデム信号を多重化伝送するための切替に係わる通話品質を低下することなく発信者番号通知サービスに対応することができる音声圧縮多重化装置を提供することを目的とする。
【００１７】
【課題を解決するための手段】
上記目的を達成するために本発明に係る音声圧縮多重化装置は、交換機と電話機との間の加入者回線に対向設置し音声信号を音声圧縮して多重化する音声圧縮多重化装置において、交換機側の音声圧縮多重化装置は、交換機からの音声信号を音声圧縮して符号化することによりディジタル信号とする音声符号部に、前記音声信号が発信者番号を通知するモデム信号であるか否かを検出する切替情報検出部と、前記切替情報検出部からの切替信号に基づいて、音声符号化部または発信者番号データ送信部からの出力を選択する音声／データ送出部と、制御信号及び前記切替信号を符号化する制御信号送出部とを設け、一方、電話機側の音声圧縮多重化装置は、復号化してアナログ信号にした音声信号を電話機に出力する音声復号部に、前記制御信号及び前記切替信号を復号化する制御信号受信部と、前記復号化した制御信号に基づいて、受信信号を音声復号化部または発信者番号データ受信部に振り分ける音声／データ受信部と、前記復号化した制御信号に基づいて、前記音声復号化部または発信者番号データ受信部からの出力を選択する音声／データ切替部と、前記復号化した制御信号に基づいて、前記音声／データ切替部による切替時に発生する異音を抑圧する異音除去部と、前記異音除去部からのディジタル信号をアナログ信号に変換するＤ／Ａ変換部とを設けたことを特徴とする。このため、発信者番号を通知するモデム信号を受信した場合による該切り替え、及び、復旧の際に、前記異音除去部は、所定の時間、前記音声信号のレベルを強制的に零に設定することができ、電話機への通話品質の低下を防ぐことができる。
【００１８】
【発明の実施の形態】
以下、図示した実施例に基づいて本発明を詳細に説明する。
図１は、本発明に係る音声圧縮多重化装置の通話路部の構成を示す一実施例である。なお、図示を省略したが、従来と同様に加入者交換機１及び複数の電話機２との間に対加入者線交換機側音声圧縮多重化装置３と対電話機側音声圧縮多重化装置４とを対向設置しているものとし、（ａ）に示す送信側通話路部１９は対加入者線交換機側音声圧縮多重化装置３内に、（ｂ）に示す受信側通話路部２０は対電話機側音声圧縮多重化装置４内に設けられている。また、ここでは、加入者交換機１からの発信者番号通知機能に関連する動作を説明するため、電話機２から加入者交換機１への通話方向に関する機能ブロックについては、記載を省略する。
【００１９】
図１の構成を示すと、送信側通話路１９は、加入者線交換機１に入出力する制御信号を中継するＲＥＰ（レピータ）１１と、加入者線交換機１に接続している二線式回線（加入者回線）を、上り／下りの方向別の四線式回線に変換するハイブリッドトランス（Ｈ）１２と、加入者交換機１からの音声信号を音声圧縮して制御信号と共に符号化する音声符号部２１とを備えている。
そして、前記音声符号部２１には、ＲＥＰ１１が検出する制御信号を基に、加入者交換機１からの入力信号が通話による音声信号であるか、或いは、発信者番号を通知するモデム信号であるかを検出して音声符号処理方法を切り替えるための切替信号を出力する切替情報検出部２２と、ハイブリッドトランス１２からのアナログ音声信号を６４ｋｂ／ｓにディジタル化した後に、更に、８ｋｂ／ｓに音声圧縮して符号化する音声符号化部２３と、ハイブリッドトランス１２からの発信者番号を通知するモデム信号を１２００Ｂのデータに復調した後、８ｋｂ／ｓの伝送速度で出力する発信者番号データ送信部２４と、切替情報検出部２２が出力する切替信号の制御に基づいて、前記音声符号化部２３からの出力と発信者番号データ送信部２４からの出力の何れかを選択するよう切り替えて多重変換部に送出する音声／データ送出部２５と、前記切替情報検出部２２が検出した切替信号及び電話機に対する制御信号を符号化して送出する制御信号送出部２６とを設けている。
【００２０】
一方、前記受信通話路部２０は、符号化された圧縮音声信号或いは発信者番号データと制御信号とを復号化する音声復号部２７と、四線式回線を二線式回線に変換するハイブリッドトランス（Ｈ）１７と、電話機２に入出力する制御信号を中継するＲＥＰ１８とを備えている。
そして、前記音声復号部２７には、多重分離部により分離した切替信号及び電話機２に対する制御信号を受信し、切替信号を切替情報出力部２９に出力すると共に制御信号をＲＥＰ１８に出力する制御信号受信部２８と、前記制御信号受信部からの切替信号を、音声／データ受信部３０、音声／データ切替部３３、及び、異音除去部３４に分配する切替情報出力部２９と、多重分離部により通話路毎に分離された音声信号或いは発信者番号を通知するモデム信号を受信し、前記切替情報出力部２９からの切替信号に基づき、音声信号は音声復号部３１へ、モデム信号は発信者番号データ受信部３２へと夫々に出力する音声／データ受信部３０と、前記音声／データ受信部３０から入力される８ｋｂ／ｓに音声圧縮されている音声信号を解凍して元の６４ｋｂ／ｓのディジタル信号に復号化する音声復号化部３１と、前記音声／データ受信部３０から入力される８ｋｂ／ｓの伝送速度に変換されている１２００Ｂの発信者番号データを６４ｋｂ／ｓでディジタル化したモデム変調波に変換する発信者番号データ受信部３２と、切替情報出力部２９からの切替信号の制御に基づき、音声復号化部３１からの出力と発信者番号データ受信部３２からの出力の何れかを選択するよう切り替えて出力する音声／データ切替部３３と、解凍された６４ｋｂ／ｓのディジタル音声信号と発信者番号を通知する６４ｋｂ／ｓのディジタルモデム信号とを切り替え出力する際に発生する雑音を消去する異音除去部３４と、ディジタル信号を元のアナログ信号に変換するＤ／Ａ変換部３５とを設けている。
【００２１】
次に、音声符号化部２１の切替情報検出部２２において、モデム信号識別に必要な発信者番号通知機能の動作シーケンスについて説明する。
図２は、加入者線交換機１から音声圧縮多重化装置３及び４を介して電話機２に発信者番号を通知する際の動作シーケンスを示す図である。
この図に示す動作シーケンスは、加入者線交換機１から電話機２に着呼があったときから始まる。つまり、加入者線交換機１は、まず、対加入者線交換機側音声圧縮多重化装置３（以降、多重化装置Ａと称す）への加入者回線に対して供給する直流給電の極性を反転させると共に、電話機２を起動させるための受信端末起動信号として、１６Ｈｚ信号を０．５ｓｅｃＯＮ、０．５ｓｅｃＯＦＦで断続して出力する。
【００２２】
この極性反転信号と受信端末起動信号は、多重化装置Ａ及び対電話機側音声圧縮多重化装置４（以降、多重化装置Ｂと称す）を介して電話機２に入力され、電話機２は、極性反転信号及び受信端末起動信号に対する一次応答として直流ループを閉じる。
そして、電話機２からの一次応答信号が多重化装置Ｂ及び多重化装置Ａを介して加入者線交換機１に入力されると、加入者線交換機１は、発信者番号を通知するために１２００Ｂのモデムを起動し、調歩同期方式により所定のデータフォーマットに従ったモデム信号（発信者番号情報）を出力する。
【００２３】
次に、加入者交換機１からのモデム信号は、多重化装置Ａ及び多重化装置Ｂを介して電話機２に入力され、電話機２は、１２００Ｂのモデムを復調して発信者番号の表示を行うと共に、受信完了信号として直流ループを開放する。
そして、電話機２からの受信完了信号は、多重化装置Ｂ及び多重化装置Ａを介して加入者線交換機１に入力されると、加入者線交換機１は、電話機２を呼び出すための呼出信号として１６Ｈｚを１ｓｅｃＯＮ、２ｓｅｃＯＦＦの断続して出力する。
【００２４】
次に、加入者交換機１からの呼出信号は、多重化装置Ａ及び多重化装置Ｂを介して電話機２に入力され、電話機２は呼出信号に基づいてベルを鳴動させる。
この鳴動に対し、電話機２をオフフックすることにより応答すると、直流ループが閉じられ、オフフック信号として多重化装置Ｂ及び多重化装置Ａを介して加入者線交換機１に入力される。
【００２５】
次に、加入者線交換機１は、電話機２の応答を確認して直流ループの極性を復極し、この極性復極信号が多重化装置Ａ及び多重化装置Ｂを介して電話機２に入力されると通話状態に移行し、会話等の音声伝送（通話通信）が行なわれる。
【００２６】
次に、通話終了後、電話機２をオンフックすると直流ループが開放され、このオンフック信号が多重化装置Ｂ及び多重化装置Ａを介して加入者線交換機１に入力され、一連の通信動作シーケンスが終了する。
【００２７】
以上のような動作シーケンスを前提に、図１の動作を説明する。
ます、加入者線交換機側の音声圧縮多重化装置に設けられた送信側通話路部１９において、ＲＥＰ１１は、加入者線交換機１から出力される直流ループの極性反転、極性復極信号及び１６Ｈｚ信号等を検出して、その検知信号を切替情報検出部２２と制御信号送出部２６に入力する。
また、加入者線交換機１から出力される音声信号は、ハイブリッドトランス１２を介して音声符号化部２３と発信者番号データ送信部２４に入力される。ここでハイブリッドトランス１２から出力される音声帯域信号には、通話による音声信号と発信者番号を通知するためのモデム信号とが有る。
【００２８】
通話による音声信号は、音声符号化部２３により音声圧縮して８ｋｂ／ｓに符号化するが、発信者番号を通知するモデム信号も、音声信号と同様に音声圧縮を行うとすれば、モデム信号を受信する電話機２に内蔵したモデムがこれを復調した際に、復調に必要な信号成分が十分得られずデータエラーとなって正しく再生することができない。
したがって、通話による音声信号は音声圧縮するが、発信者番号を通知するモデム信号はモデム信号専用のディジタル化を行うようにし、両者の信号を区別して認識する必要がある。
そこで、切替情報検出部２２により発信者番号を通知するモデム信号が送出されているか否かの検出を行い、両者の信号を区別して認識する。なお、切替情報検出部２２においては、発信者番号を通知する際に出力されるモデム信号を、発信者番号通知のための動作シーケンスを把握することにより検出する。
【００２９】
すなわち、図２において説明したように、発信者番号を通知するためのモデム信号（発信者番号情報）は、加入者線交換機１から直流ループの極性反転と１６Ｈｚからなる受信端末起動信号を出力し、これに電話機２が一次応答した後に送出されるので、切替情報検出部２２は、加入者線交換機１が出力する極性反転情報と受信端末起動信号を受信した後に、モデム信号が送出されると判断すればよい。
【００３０】
一方、モデム信号の停止は、モデム信号に含まれるの搬送波信号の断検出、及び、所定の時間経過によるタイムアウト検出等により判断する。
そこで、切替情報検出部２２は、通話信号を音声圧縮し符号化する音声符号化部２３の動作を有効とするか、或いは、発信者番号を通知するモデム信号をディジタル化する発信者番号データ送信部２５の動作を有効にするかを切り替える切替信号を出力する。
そして、切替情報検出部２２からの切替信号に基づき、発信者番号データ送信部２４が動作有効になると、発信者番号データ送信部２４は、ハイブリッドトランス１２を介して受信するモデム信号を復調して１２００Ｂのデータを得た後に、この１２００Ｂのデータを８ｋｂ／ｓの伝送速度に変換して音声／データ送出部２５に出力する。
【００３１】
他方、切替情報検出部２２からの切替信号に基づき、音声符号化部２３が動作有効になると、音声符号化部２３は、ハイブリッドトランス１２を介して受信するアナログ音声信号を８ｋＨｚでサンプリングして８ビットでディジタル化することにより６４ｋｂ／ｓのディジタル信号とする。更に、音声符号化部２３は、このディジタル信号を所定の音声符号化方式、例えば、ＣＳ−ＡＣＥＬＰ音声符号化方式により音声圧縮して８ｋｂ／ｓのディジタル信号として音声／データ送出部２５に出力する。
【００３２】
そして、音声／データ送出部２５においては、切替情報検出部２２が出力する切替信号に従い、音声符号化部２３または発信者番号データ送信部２４が出力するディジタル信号の何れかを選択して多重変換部に出力する。
制御信号送出部２６は、ＲＥＰ１１が検出する直流ループの極性信号、受信端末起動信号、１６Ｈｚ信号の検出信号等と、切替情報検出部２２が出力する切替信号とを予め定めた所定のビット列に変換するよう符号化し、８ｋｂ／ｓの伝送速度で機能するデータフレームの所定のビット（図２に示したＴＳ１）に乗せるべく多重変換部に出力する。
【００３３】
次に、電話機側の音声圧縮多重化装置に設けられた受信側通話路部２０において、音声復号部２７の制御信号受信部２８は、多重分離部により通話路毎に分離された信号から、８ｋｂ／ｓの伝送速度で動作するデータフレームの所定のビット（ＴＳ１）を抽出して、直流ループの極性信号、受信端末起動信号、１６Ｈｚ信号の検出信号等の制御信号と、切替信号とを取出す。そして、切替情報出力部２９に切替信号を、ＲＥＰ１８に直流ループの極性信号、受信端末起動信号、１６Ｈｚ信号の検出信号等を出力する。
【００３４】
一方、通話による音声信号または発信者番号を通知するモデム信号は、多重分離部から８ｋｂ／ｓの伝送速度で音声／データ受信部３０に入力される。
入力された夫々の信号は、音声／データ受信部３０により切替情報出力部２９が分配出力する切替信号に基づいて選択され、通話による音声信号は音声復号化部３１へ、又、発信者番号を通知するモデム信号は発信者番号データ受信部３２へと分離して出力される。ここで、音声復号化部３１は、８ｋｂ／ｓに音声圧縮された入力信号を解凍し、元の６４ｋｂ／ｓのディジタル信号に復元する。又、発信者番号データ受信部３２は、８ｋｂ／ｓの伝送速度で入力した１２００Ｂのモデムデータを、６４ｋｂ／ｓでディジタル化したモデム搬送波信号に復元する。
【００３５】
次に、音声／データ切替部３３は、切替情報出力部２９が出力する切替信号に従って、前記音声復号化部３１の出力と、発信者番号データ受信部３２の出力の何れかを選択するよう切り替えて、順次異音除去部３４に出力する。
異音除去部３４は、音声信号か、或いはモデム信号かの別に応じて、ディジタル信号処理を切り分けて処理することにより生ずる異音を除去する。
具体的には、異音の発生するタイミングである通話による音声信号のディジタル化処理と発信者番号を通知するモデム信号のディジタル信号処理との切替時に、切替情報出力部２９が出力する切替信号が変化した時点から所定の時間、例えば数百ｍｓｅｃ間、異音除去部３４に入力するディジタル信号を強制的に零としてレベル抑圧することによって異音を除去する。
【００３６】
異音除去部３４の出力は、Ｄ／Ａ変換部３５に入力され、Ｄ／Ａ変換部３５は、元のアナログ信号とした後、ハイブリッドトランス１７を介して二線式回線（加入者回線）に接続する電話機２に出力する。
一方、電話機２に対する直流ループの極性信号、受信端末起動信号、１６Ｈｚ信号の検出信号等は、ＲＥＰ１８を介して電話機２に出力する。
【００３７】
以上のように本発明に係わる音声圧縮多重化装置は、対加入者線交換機側音声圧縮多重化装置において、加入者線交換機１からの発信者番号通知手順を監視して、音声信号とモデム信号とを区別する切替信号を生成し、この切替信号も多重化して対向側の音声圧縮多重化装置へ送出し、一方、対電話機側音声圧縮多重化装置において、前記切替信号に基づいて異音除去を行なうように構成したので、発信者番号通知時のモデム信号を多重化伝送するための切替に係わる通話品質が低下しない。
【００３８】
【発明の効果】
本発明は上述したように、通話による音声信号のディジタル化処理と発信者番号を通知するモデム信号のディジタル化処理との切替時に発生する異音を、異音の発生している時間、強制的にディジタル信号を零にすることにより除去するので、音声圧縮多重化を行う際の通話品質が低下することなく、音声圧縮多重化装置を運用する上で大きな効果を発揮することが可能となる。
【図面の簡単な説明】
【図１】本発明に係る音声圧縮多重化装置の通話路部の構成を示す一実施例であり、（ａ）は送信側通話路部、（ｂ）は受信側通話路部である。
【図２】加入者線交換機から音声圧縮多重化装置を介して電話機に発信者番号を通知する際の動作シーケンスを示す図である。
【図３】従来の音声圧縮多重化装置の構成例を示す図である。
【図４】音声圧縮多重化装置のフレーム構成図である。
【符号の説明】
１・・加入者線交換機、              ２ａ、２ｂ・・電話機、
３・・対加入者線交換機側音声圧縮多重化装置、
４・・対電話機側音声圧縮多重化装置、
５ａ・・第一の通話路部、                ５ｂ・・第七の通話路部、
６・・多重変換部、                    ７・・多重分離部、
８・・多重分離部、                    ９・・多重変換部、
１０ａ・・第一の通話路部、            １０ｂ・・第七の通話路部、
１１・・ＲＥＰ（レピータ）、          １２・・ハイブリッドトランス（Ｈ）、
１３・・音声符号部、                  １４・・音声復号部、
１５・・音声復号部、                  １６・・音声符号部、
１７・・ハイブリッドトランス（Ｈ）、  １８・・ＲＥＰ（レピータ）、
１９・・送信側通話路部、              ２０・・受信側通話路部、
２１・・音声符号部、                  ２２・・切替情報検出部、
２３・・音声符号化部、                ２４・・発信者番号データ送信部、
２５・・音声／データ送出部、          ２６・・制御信号送出部、
２７・・音声復号部、                  ２８・・制御信号受信部、
２９・・切替情報出力部、              ３０・・音声／データ受信部、
３１・・音声復号化部、                ３２・・発信者番号データ受信部、
３３・・音声／データ切替部、          ３４・・異音除去部、
３５・・Ｄ／Ａ変換部
【図１】
0004353326.tif 000002
【図２】
0004353326.tif 000003
【図３】
0004353326.tif 000004
【図４】
0004353326.tif 000005